(57)【要約】【課題】  読み取った実画像データ中の特定画像を表示部中で移動させるとともに、移動前後における実画像データを印刷できるようにする。【解決手段】  表示部７は、印刷する実画像データのサムネイル画像を表示する。入力部１７は、表示部７に表示されたサムネイル画像を構成する画像領域の特定指示入力とこの特定された画像領域の移動指示入力とを受け付ける。画像移動制御部９は、特定された画像領域の画像を特定指示入力に基づきサムネイル画像に反映させて移動表示制御し、特定されたその画像を実画像データに反映させて移動制御する。画像取得部１１は、その画像移動の前後における実画像データを取得する。印刷部１３は、取得されたその実画像データを印刷する。【選択図】  図１
2010034623.tif 000002
【特許請求の範囲】
【請求項１】
印刷する実画像データがサムネイル画像化されて表示される表示部と、
この表示部に表示された前記サムネイル画像を構成する画像領域を特定する特定指示入力と、この特定された前記画像領域の移動指示入力とを受け付ける入力部と、
この入力部で特定された前記画像領域の画像を前記移動指示入力に基づき前記サムネイル画像に反映させて移動表示制御するとともに、特定された前記画像を前記実画像データに反映させて移動制御する画像移動制御部と、
前記画像の移動の前後における前記実画像データを取得する画像取得部と、
この画像取得部で取得された前記実画像データを印刷する印刷部と、
を具備することを特徴とする画像形成装置。
【請求項２】
前記画像取得部は、前記画像の移動履歴情報を取得する請求項１記載の画像形成装置。
【請求項３】
前記画像取得部は、前記移動履歴情報を所定のステップで取得する請求項２記載の画像形成装置。
【請求項４】
前記画像取得部は、前記画像の移動後の前記実画像データに、前記移動履歴情報に基づく移動軌跡線を付して前記印刷部に出力する請求項２又は３記載の画像形成装置。
【請求項５】
前記画像取得部は、前記移動履歴情報を取得する前記ステップのタイミングで移動した前記画像を付した前記実画像データ毎に前記印刷部に出力する請求項３記載の画像形成装置。
【請求項６】
印刷する実画像データをサムネイル画像化して表示部に表示する表示工程と、
前記表示部に表示された前記サムネイル画像を構成する画像領域を特定する特定指示入力と、この特定された前記画像領域の移動指示入力とを受け付ける入力工程と、
この入力工程で特定された前記画像領域の画像を前記移動指示入力に基づき前記表示部におけるサムネイル画像に反映させて移動表示制御するとともに、特定された前記画像を前記実画像データに反映させて移動制御する画像移動制御工程と、
前記画像の移動の前後における前記実画像データを取得する画像取得工程と、
この画像取得工程で取得された前記実画像データを印刷部で印刷する印刷工程と、
を具備することを特徴とする画像形成方法。
【請求項７】
前記画像取得工程は、前記画像の移動履歴情報を取得する請求項６記載の画像形成方法。
【請求項８】
前記画像取得工程は、前記移動履歴情報を所定のステップで取得する請求項７記載の画像形成方法。
【請求項９】
前記画像取得工程は、前記画像の移動後の前記実画像データに、前記移動履歴情報に基づく移動軌跡線を付して前記印刷部に出力する請求項７又は８記載の画像形成方法。
【請求項１０】
前記画像取得工程は、前記移動履歴情報を取得する前記ステップのタイミングで移動した前記画像を付した前記実画像データ毎に前記印刷部に出力する請求項８記載の画像形成方法。
【請求項１１】
印刷する実画像データを表示部に表示制御するとともに、前記実画像データを印刷する印刷部を印刷制御する制御用コンピュータに対し、
前記実画像データをサムネイル画像化して前記表示部に表示する表示処理と、
表示された前記サムネイル画像を構成する画像領域を特定する特定指示入力と、この特定された前記画像領域の移動指示入力とを受け付ける入力処理と、
この入力処理で特定された前記画像領域の画像を前記移動指示入力に基づき前記サムネイル画像に反映させて移動表示制御するとともに、特定された前記画像を前記実画像データに反映させて移動制御する画像移動制御処理と、
前記画像の移動の前後における前記実画像データを取得する画像取得処理と、
この画像取得処理にて取得された前記実画像データを前記印刷部で印刷する印刷処理と、
を実行させることを特徴とする画像形成プログラム。
【発明の詳細な説明】
【技術分野】
【０００１】
本発明は画像形成装置、画像形成方法および画像形成プログラムに係り、特に、複合機（ＭＦＰ：Multi Function Peripheral）等の画像形成装置、これに用いて好適する画像形成方法および画像形成プログラムの改良に関する。
【背景技術】
【０００２】
近年、複合機等の画像形成装置では、画像原稿から画像データを光学的に読み取り、当該画像データを操作パネル部に表示したり印刷用紙に印刷する機能に加えて、画像データを操作パネル部に表示するとともに表示画像の変更処理が可能な構成も提供されている。
【０００３】
このような従来構成としては、例えば、特許第３２５５６７５号公報（特許文献１）の画像再配置機能付きデジタル複写機、特開平１１−１４６３０９号公報（特許文献２）の画像編集出力装置および特開平５−１５３３７１号公報（特許文献３）のデジタル複写機等がある。
【０００４】
すなわち、特許文献１は、読み取られた原稿画像の画像データから罫線又は段区切りを抽出し、それら抽出罫線群又は段区切り群を包括する直交多辺形を特定記事として抜き出き、新聞等のように所定の大きさ、所定の行間で本文行記述されている記事画像が読み取られたとき、該記事画像においてその抜き出された特定記事のみの複数の本文行を該本文行サイズと合同な矩形で切り出し、切り出された本文行の少なくとも１行の画像データを移動して再配置した画像データを出力する構成を有し、多様な外形形状を備えた記事画像をコピーする際、その記事輪郭形状に応じて、画像データの一部分を自動的に移動、再配置し、画像の配置態様を変更できるようにしたものである。
【０００５】
また、特許文献２は、ビデオカメラにて撮影された動画情報をカラーデジタル複写機に転送し、転送された画像データを記憶装置に記憶し、複数のフレーム画像からなる出力用選択画像を用紙に出力した後、出力用選択画像の複数のフレーム画像の中から所望フレーム画像を選択されると、このフレーム画像の出力形式が設定され、設定された出力画像形式で所望のフレーム画像が用紙に出力される構成を有し、入力される動画情報の中から的確に所望のフレーム画像を選択し、所定の処理を施して表現力豊かな画像として出力可能にしたものである。
【０００６】
さらに、特許文献３は、原稿画像を画素に分解して読み取り、新聞等のように所定の大きさ、所定の行間で本文行が記述されている記事画像を読み取った画像データから本文行サイズと合同な矩形で複数の本文行を切り出し、切り出された本文行の少なくとも１行の画像データを移動して再配置し、再配置された画像データについて輪郭形状を自動的に整形し、飛び地及および凹凸のない読みやすいコピー画像を得るとともに、原稿の画像面積に応じた最適な記録紙にコピーできるようにしたものである。
【特許文献１】特許第３２５５６７５号公報
【特許文献２】特開平１１−１４６３０９号公報
【特許文献３】特開平５−１５３３７１号公報
【発明の開示】
【発明が解決しようとする課題】
【０００７】
しかしながら、上述した特許文献１では、ある領域を自動認識して余白箇所をなくす等のレイアウト変更が可能であるが、ユーザが画像を自由に移動させることは困難である。
【０００８】
また、特許文献２では、入力される動画情報の中から所望のフレーム画像を選択し、所定の処理を施して表現力豊かな画像を形成するものであるが、入力された動画情報中の画像領域を独自に移動編集するものではない。
【０００９】
さらに、特許文献３では、画像データを再配置移動させて見やすいコピー画像が得られるが、画像データの再配置移動の前後に着目したものではない。
【００１０】
他方、例えば、土地建物等の不動産の配置図や間取り図を印刷したり、配置や間取りを変更して印刷する例のように、画像原稿から画像形成装置に読み取った画像データについて、当該画像データ中の特定画像領域を移動させるとともに、移動の前後における画像データを印刷して利用したい場合があり、改良が望まれていた。
【００１１】
本発明はそのような課題を解決するためになされたもので、画像データ中の特定画像を任意に移動させるとともに、特定画像移動の前後における画像データの印刷が容易な画像形成装置、画像形成方法および画像形成プログラムの提供を目的とする。
【課題を解決するための手段】
【００１２】
そのような課題を解決するために本発明に係る画像形成装置は、印刷する実画像データがサムネイル画像化されて表示される表示部と、この表示部に表示されたそのサムネイル画像を構成する画像領域を特定する特定指示入力と、この特定された画像領域の移動指示入力とを受け付ける入力部と、この入力部で特定された画像領域の画像をその移動指示入力に基づきサムネイル画像に反映させて移動表示制御するとともに、特定された画像を実画像データに反映させて移動制御する画像移動制御部と、その画像の移動の前後における実画像データを取得する画像取得部と、この画像取得部で取得された実画像データを印刷する印刷部と、を具備している。
【００１３】
本発明の画像形成装置では、上記画像取得部が、その画像の移動履歴情報を取得する構成も可能である。
【００１４】
本発明の画像形成装置では、上記画像取得部が、その移動履歴情報を所定のステップで取得する構成も可能である。
【００１５】
本発明の画像形成装置では、上記画像取得部が、その画像の移動後の実画像データに、その移動履歴情報に基づく移動軌跡線を付してその印刷部に出力する構成も可能である。
【００１６】
本発明の画像形成装置では、上記画像取得部が、その移動履歴情報を取得するステップのタイミングで移動した画像を付した実画像データ毎にその印刷部に出力する構成も可能である。
【００１７】
本発明に係る画像形成方法は、印刷する実画像データをサムネイル画像化して表示部に表示する表示工程と、その表示部に表示されたサムネイル画像を構成する画像領域の特定指示入力とこの特定された画像領域の移動指示入力とを受け付ける入力工程と、この入力工程で特定された画像領域の画像をその移動指示入力に基づきそのサムネイル画像に反映させて移動表示制御するとともに、特定された画像を実画像データに反映させて移動制御する画像移動制御工程と、その画像移動の前後における実画像データを取得する画像取得工程と、この画像取得工程で取得された実画像データを印刷部で印刷する印刷工程と、を具備している。
【００１８】
本発明の画像形成方法では、上記画像取得工程が、その画像の移動履歴情報を取得する構成も可能である。
【００１９】
本発明の画像形成方法では、上記画像取得工程が、その移動履歴情報を所定のステップで取得する構成も可能である。
【００２０】
本発明の画像形成方法では、上記画像取得工程が、その画像の移動後の実画像データに、その移動履歴情報に基づく移動軌跡線を付してその印刷部に出力する構成可能である。
【００２１】
本発明の画像形成方法では、上記画像取得工程が、その移動履歴情報を取得するステップのタイミングで移動した画像を付したその実画像データ毎にその印刷部に出力する構成も可能である。
【００２２】
本発明に係る画像形成プログラムは、印刷する実画像データを表示部に表示制御するとともに、その実画像データを印刷する印刷部を印刷制御する制御用コンピュータに対し、その実画像データをサムネイル画像化してその表示部に表示する表示処理と、表示されたサムネイル画像を構成する画像領域を特定する特定指示入力とこの特定された画像領域の移動指示入力とを受け付ける入力処理と、この入力処理で特定された画像領域の画像をその移動指示入力に基づきそのサムネイル画像に反映させて移動表示制御するとともに、特定された画像を実画像データに反映させて移動制御する画像移動制御処理と、その画像移動の前後における実画像データを取得する画像取得処理と、この画像取得処理にて取得された実画像データをその印刷部で印刷する印刷処理と、を実行させるものである。
【発明の効果】
【００２３】
このような本発明に係る画像形成装置および画像形成方法では、印刷する実画像データをサムネイル画像化して表示部に表示し、その表示部に表示されたサムネイル画像を構成する画像領域の特定指示入力とこの特定された画像領域の移動指示入力とを受け付け、ここで特定された画像をその移動指示入力に基づきサムネイル画像に反映させて移動表示制御するとともに、特定された画像を実画像データに反映させて移動制御する一方、その画像移動の前後における実画像データを取得し、取得された実画像データを印刷部で印刷するから、実画像データ中の特定画像を任意に移動させるとともに、特定画像移動の前後における実画像データの印刷が容易となる。
【００２４】
本発明において、上記画像取得工程が、その画像の移動履歴情報を取得する構成では、その画像の移動に伴う種々の表示が容易になる。
【００２５】
本発明において、上記画像取得工程が、その移動履歴情報を所定のステップで取得する構成では、その画像の移動に伴う種々の表示が容易となる。
【００２６】
本発明において、上記画像取得工程が、その画像の移動後の実画像データに、その移動履歴情報に基づく移動軌跡線を付してその印刷部に出力する構成では、その画像の移動開始と完了の前後で、その当該移動軌跡線によって画像の移動が視覚的に明確化される。
【００２７】
本発明において、上記画像取得工程が、その移動履歴情報を取得するステップのタイミングで移動した画像を付したその実画像データ毎にその印刷部に出力する構成では、画像が移動した実画像データをステップ的に印刷することが可能である。
【発明を実施するための最良の形態】
【００２８】
以下、本発明に係る画像形成装置、画像形成方法および画像形成プログラムの実施の形態を図面を参照して説明する。なお、本発明に係る画像形成方法および画像形成プログラムは本発明の画像形成装置を説明する過程で説明する。
【００２９】
図１は本発明に係る画像形成装置Ａの構成を示す概略ブロック図である。
【００３０】
図１において、本発明に係る画像形成装置Ａは、主制御部１を中心に画像読取部３、記憶部５、操作パネル部７、画像移動制御部９、画像取得部１１、印刷部１３および通信部１５がバス接続されてなり、例えば複合機を構成している。
【００３１】
画像読取部３は、主制御部１の制御の下、例えば印刷された複数頁の原稿から画像データを光学的に読み込み、フィルタ処理および階調処理等をして電子的画像データを生成する公知のスキャナー等のデータ入力部であり、生成した画像データが原稿の頁毎に記憶部５に順次記憶されるようになっている。画像データは、後述するように通信部１５からも入力可能である。
【００３２】
記憶部５は、主制御部１の制御の下、画像読取部３や通信部１５からの画像データ、後述するサムネイル画像、移動履歴情報、画像領域の移動前後の取得画像データの他、主制御部１の動作プログラム等を読み書き可能に格納する例えばハードディスク（ＨＤＤ）である。
【００３３】
操作パネル部７は、画像形成装置Ａの本体ケース（図示せず。）に配置され、例えば液晶形のディスプレイとこれに重ねられたタッチスイッチを兼ねた表示部および入力部であり、主制御部１の制御の下、印刷用紙がセットされた給紙段の選択、印刷の実行又は中止等の指示入力部としての機能を有している。
【００３４】
すなわち、操作パネル部７は、図２に示すように、画像形成装置Ａの主要機能である複写機能を指示する「複写」、原稿のファクシミリ送受信を指示する「ファックス」、原稿の電子メール送信を指示する「メール」等を選択する選択キー７ａ、符号キーとしてのテンキー７ｂ、スタートキー７ｃ等を有している。
【００３５】
操作パネル部７は、それらのキー７ａ〜７ｃ等のタッチや押下により、画像形成装置Ａに対して機能の選択指示入力、文字等の符号入力、更に、操作スタート、操作ストップ／リセット等の当該装置の操作指示入力を受け付け、入力された情報が主制御部１に出力されるようになっている。
【００３６】
操作パネル部７は、その中央部に表示入力部１７を有している。表示入力部１７は、例えば図３に示すように、読み取られた画像データのサムネイル画像が表示される表示部としての機能を有するとともに、表示されたサムネイル画像を構成する画像領域を特定する特定指示入力と、この特定された画像領域の移動指示入力とを受け付ける入力部としての機能を有している。
【００３７】
本発明では、読み取られた画像データをサムネイル画像との関係で実画像データとする（以下同じ。）。
【００３８】
表示入力部１７は、図３に示すように、１ｃｍ平方前後のマス目状に分割された多数の単位表示領域１７ａを有し、これら単位表示領域１７ａによってサムネイル画像が表示されるとともに、個々の単位表示領域１７ａをタッチすることによって当該単位表示領域１７ａが特定されて特定指示情報が主制御部１に出力されるようになっている。なお、図３では、サムネイル画像中の例えば●印の画像要素１９ａのみ示している。
【００３９】
すなわち、図３において、単位表示領域１７ａが縦横マス目状に（１）〜（２８）まで配列されていた場合、（８）、（９）、（１５）、（１６）の単位表示領域１７ａをタッチすることによって当該領域を特定する特定指示情報が出力される一方、（８）〜（１６）の単位表示領域１７ａの選択確定後に、（１０）、（１１）、（１２）の順に単位表示領域１７ａをタッチすれば、画像移動制御部９の表示制御に基づき、（８）〜（１６）の単位表示領域１７ａを１個の表示領域とするとともに左端（８）の単位表示領域１７ａを基準領域にして、●印の画像要素１９ａが、基準領域を（１０）、（１１）、（１２）の単位表示領域１７ａに重ねるようにして、順に表示入力部１７を移動表示されるようになっている。図３中の符号１７ｂがその確定キーである。
【００４０】
画像移動制御部９は、上述した単位表示領域１７ａを特定する特定指示入力に基づき、実画像データ中の該当する画像領域を特定するとともに、特定された当該画像領域の画像を、その移動指示入力に基づきサムネイル画像に反映させて移動制御し、表示入力部１７を表示制御する機能を有している。
【００４１】
すなわち、画像移動制御部９は、表示入力部１７における各単位表示領域１７ａへのタッチ操作に基づき、記憶部５の実画像データ中における画像領域を特定し、単位表示領域１７ａのタッチ操作順位から、当該画像領域の画像をサムネイル画像に反映させて移動制御して表示入力部１７に表示制御するとともに、特定された画像を実画像データ中に反映させて移動制御（上書き制御）した実画像データを作成する機能を有している。
【００４２】
画像取得部１１は、主制御部１の制御の下、画像の移動履歴情報とを所定のステップで取得（キャッチ）するとともに、操作パネル７の表示入力部１７における画像移動の前後における実画像データと、画像の移動完了後の実画像データとを印刷部１３に出力する機能を有している。
【００４３】
すなわち、画像取得部１１は、画像移動を開始する前の実画像データと、移動完了した後の実画像データに加えて、画像の移動途中の実画像データをそのステップ的に取得し、記憶部５に記憶制御する機能を有している。
【００４４】
印刷部１３は、画像形成装置Ａの本体ケース内に配置され、主制御部１の制御の下、操作パネル部７から、上述した実画像データの印刷指示があったとき、記憶部５に記憶されたそれら実画像データを入力し、その実画像データに基づき画像形成処理して印刷用紙に転写定着する公知のモノクロ又はカラー印刷エンジンである。
【００４５】
通信部１５は、主制御部１の制御の下、図示しない公知のネットワークを介して画像データをファクシミリ送受信するインターフェース部である。
【００４６】
主制御部１は、ＣＰＵを主体とし画像形成装置全体、すなわち画像読取部３、記憶部５、操作パネル部７、画像移動制御部９、画像取得部１１、印刷部１３および通信部１５を制御して上述した機能を確保するとともに、画像データをサムネイル画像化して表示入力部１７を表示制御するサムネイル化部２１として機能する。
【００４７】
次に、本発明に係る画像形成装置Ａの動作を図４のフローチャートを参照して簡単に説明する。
【００４８】
ステップＳ１にて画像読取部３が原稿から画像データを光学的に読み取り、ステップＳ２にて主制御部１がその画像データをサムネイル画像化して表示入力部１７に表示し（表示処理）、ステップＳ３にて表示入力部１７がサムネイル画像を構成する画像領域の特定指示入力とこの特定された画像領域の移動指示入力を受け付ける（入力処理）。
【００４９】
すると、ステップＳ４にて画像移動制御部９が特定指示入力に基づき画像データ中の画像領域を特定するとともに、特定された当該画像をその移動指示入力に基づき表示入力部１７におけるサムネイル画像に反映させて移動制御して表示制御する（画像移動制御処理）。なお、ステップＳ３、Ｓ４を分けて示したが、実際には並行的に処理される。
【００５０】
さらに、ステップＳ５にて、画像取得部１１が画像移動の前後におけるその画像データを取得し（画像取得処理）、ステップＳ６にて印刷部１１が取得された画像データを印刷する（印刷処理）。
【００５１】
これらの処理が、本発明の画像形成方法の主要部に該当するとともに、本発明の画像形成プログラムによって実行される。なお、その処理プログラムは、製造時に主記憶部５に格納されていたり、ＵＳＢメモリやＣＤ−ＲＯＭ等の外部記憶媒体に格納されて供給される。
【００５２】
このように本発明の画像形成装置は、印刷する実画像データをサムネイル画像化して表示する操作パネル部（表示部）７と、この操作パネル部７に表示されたサムネイル画像を構成する画像領域を特定する特定指示入力とこの特定された画像領域の移動指示入力とを受け付ける表示入力部１７と、この表示入力部１７で特定された画像領域の画像をその移動指示入力に基づきサムネイル画像に反映させて移動制御して操作パネル部７を表示制御するとともに、特定された画像を実画像データに反映させて移動制御する画像移動制御部９と、その画像移動の前後における実画像データを取得する画像取得部１１と、取得されたその実画像データを印刷する印刷部１３と、を具備している。
【００５３】
そのため、サムネイル画像の画像を操作パネル部７に表示させ、その上で特定して任意に移動させることが可能であるうえ、対応する実画像データ中の当該特定画像を任意の場所へ移動させるとともに、特定画像移動の前後における実画像データの印刷も可能である。
【００５４】
従って、例えば土地建物等の不動産の配置図や間取り図について、配置や間取りを操作パネル部７上で変更するとともに、その変更前後の印刷が可能であり、有用である。
【００５５】
そして、その画像の移動履歴情報も取得するから、例えば図５に示すように、その画像の移動完了後の実画像データに、その移動履歴情報に基づき当該移動軌跡線２３を付して印刷部１３に出力するよう画像取得部１１を形成すれば、その画像移動の開始と完了の間を、その移動軌跡線２３によって画像移動を視覚的に明確化可能となる。
【００５６】
本発明の画図形成装置においては、上述したように、移動の前後における実画像データを印刷したり、移動軌跡線２３によって画像領域の移動を視覚的に表示する構成に限定されない。
【００５７】
例えば、その移動履歴情報ステップで取得するとともに、そのステップ的タイミングで移動した画像の付された実画像データを印刷部１３に出力する構成も可能であり、これに合わせて画像移動制御部９および画像取得部１１を形成すれば良い。
【００５８】
このような構成では、画像領域が移動した実画像データをステップ的に印刷し、図６Ａ〜Ｃに示すように、少しずつ描画の変化した図面を所定の速度でめくることにより、ぱらぱら漫画のように画像を少しずつ変位させて見せることも可能である。
【００５９】
なお、本発明に係る画像形成方法および画像形成プログラムにおいても、画像形成装置と同様の効果を得ることが可能である。
【図面の簡単な説明】
【００６０】
【図１】本発明に係る画像形成装置の実施の形態を示すブロック図である。
【図２】本発明に係る画像形成装置の操作パネル部を説明する図である。
【図３】本発明に係る画像形成装置の表示入力部を説明する図である。
【図４】本発明に係る画像形成装置の動作を説明するフローチャートである。
【図５】本発明に係る画像形成装置における動作を説明する図である。
【図６】本発明に係る画像形成装置における動作を説明する図である。
【符号の説明】
【００６１】
１  主制御部
３  画像読取部
５  記憶部
７  操作パネル部（表示部、入力部）
７ａ、７ｂ、７ｃ  キー
９  画像移動制御部
１１  画像取得部
１３  印刷部
１５  通信部
１７  表示入力部（表示部、入力部：操作パネル部）
１７ａ  単位表示領域
１７ｂ  確定キー
１９ａ、１９ｂ  画像
２１  サムネイル化部
２３  移動軌跡線
Ａ  画像形成装置
【図１】
2010034623.tif 000003
【図２】
2010034623.tif 000004
【図３】
2010034623.tif 000005
【図４】
2010034623.tif 000006
【図５】
2010034623.tif 000007
【図６】
2010034623.tif 000008